(57)【要約】【課題】  検収データと被検査物との対応関係が失われることなく、別途部品、及び設備を必要としない製品検査システムを提供する。【解決手段】  ＥＴＣユニット１０には、主に、中央演算部としてのＣＰＵ１２と、データの入出力が行われるＩ／Ｏ部１３と、各種データをアンテナ１４ａを介して無線で、送受信可能とするＲＦモジュール部１４とを有して主に構成されていて、ＥＥＰＲＯＭ１１に対して、各データを書き込み、変更及び消去可能とするように構成されている。  このＥＥＰＲＯＭ１１の記憶領域１１ａには、各工程で用いられる工程番号が書き込まれる工程番号書き込み領域１１ｂが設けられている。【選択図】  図１
2005141570.tif 000002
【特許請求の範囲】
【請求項１】
製品の機能として、予め書き換え可能な領域を有する記憶部を設けてなる製品を、複数の工程で各々検査することにより、前工程の完了した製品のみを次工程に進める製品検査システムであって、
前記領域には、前記各工程で用いられる工程番号を書き込む工程番号書き込み領域を設け、該各工程を行う際に、該工程番号を前記工程番号書き込み領域に書き込むことにより、該工程が完了したこととすることを特徴とする製品検査システム。
【発明の詳細な説明】
【技術分野】
【０００１】
この発明は、被検査物が、複数の工程で検査される際に、各工程で検査が完了していることを保証することができる製品検査システムに関する。
【背景技術】
【０００２】
従来、例えば、図８に示すような設備検収システムが知られている（例えば、特許文献１参照）。
【０００３】
まず、構成から説明すると、このような従来のものでは、設備、製品等の被検査物１に電子タグ２が付設されていている。
【０００４】
また、データを蓄積するサーバ装置と連結された入力端末装置３からは、データアクセス装置４が延設されている。
【０００５】
このデータアクセス装置４は、前記電子タグ２とのデータの送受を非接触で行えるものであり、電子タグ２の内蔵メモリの固有番号、設備コード、保存データ等の検収データを読み込んで、前記入力端末装置３に送信するように構成されている。
【０００６】
次に、この従来の設備検収システムの作用について説明する。
【０００７】
この従来の設備検収システムでは、データアクセス装置４が、各被検査物に近接されると、前記電子タグ２の内蔵メモリの固有番号、設備コード、保存データが読み込まれて、前記入力端末装置３に送信される。
【０００８】
この検収データは、前記入力端末装置３から前記サーバにアップロードされて、蓄積される。蓄積された前記検収データは、被検査物１の固有番号を含んでいるので、これらの検収データと、前記被検査物１との一対一対応が、この検収データに基づいて確認できる。
【特許文献１】特開２００３−１３２１６７号公報（図１乃至図７、段落００１７乃至段落００５３）
【発明の開示】
【発明が解決しようとする課題】
【０００９】
しかしながら、このような従来の設備検収システムでは、前記電子タグ２が、前記被検査物と離れてしまった際には、この被検査物と、前記内蔵メモリの固有番号との対応が不明となる場合がある。
【００１０】
このような場合、前記被検査物と、検収データとの対応が確認できなくなるといった問題があった。
【００１１】
また、前記各被検査物１に、各々電子タグ２を装着しなければならないので、別部品で前記電子タグ２を用意しなければならず、数量管理等が煩雑となってしまうといった問題もあった。
【００１２】
更に、前記電子タグ２専用のデータアクセス装置４を用意しなければならず、この点においても、設備数が増え、製造コストが増大してしまうといった問題があった。
【００１３】
そこで、本発明の目的は、検収データと被検査物との対応関係が失われることなく、別途部品、及び設備を必要としない製品検査システムを提供することにある。
【課題を解決するための手段】
【００１４】
本発明は、かかる問題点に着目してなされたもので、請求項１に係る発明では、製品の機能として、予め書き換え可能な領域を有する記憶部を設けてなる製品を、複数の工程で各々検査することにより、前工程の完了した製品のみを次工程に進める製品検査システムであって、前記領域には、前記各工程で用いられる工程番号を書き込む工程番号書き込み領域を設け、該各工程を行う際に、該工程番号を前記工程番号書き込み領域に書き込むことにより、該工程が完了したこととする製品検査システムを特徴としている。
【発明の効果】
【００１５】
このように構成された本願発明では、前記予め設けられた書き換え可能な領域のうち、工程番号書き込み領域に、前記各工程の工程番号が書き込まれると、該書き込まれた工程番号に対応する工程が完了したこととなる。
【００１６】
このため、前記各工程の工程番号が書き込まれた製品が、前工程の完了した製品として、次工程に進められる。
【００１７】
もし、前記各工程の工程番号が書き込まれていない製品が存在すると、該製品は、該工程を終了していないとして、次の工程に進むことが出来ない。
【００１８】
このため、全ての検査を順次、経たもののみが、全ての工程を経て完成された製品となるので、工程未完了の製品を発生させる虞がない。
【００１９】
また、前記製品の記憶部に予め設けられた書き換え可能な領域を用いて、前記工程番号書き込み領域としているので、製品と該記憶部とが一体である限り、前記検査データと被検査物との対応関係が失われることが無い。
【００２０】
しかも、従来用いられていたような電子タグ等の部品を別途、必要としない。
【００２１】
更に、このような電子タグに用いる入力端末装置等を別途設ける必要もなく、製品の記憶部にデータを書き込む既存の設備を用いて、システムを構成出来、追加の設備を必要としない。
【００２２】
また、検査完了後は、前記記憶部に設けられた書き換え可能な領域の工程番号書き込み領域を、別の用途に用いることも出来る。このため、記憶部の記憶領域を有効に活用できる。
【００２３】
更に、別の用途に用いていない記憶領域を、工程番号書き込み領域とすることもできるので、この場合も、記憶部の記憶領域を有効に活用できる。
【００２４】
従って、製造コストの上昇を抑制出来、検査効率を良好なものとすることができる製品検査システムが提供される。
【発明を実施するための最良の形態】
【００２５】
図１乃至図７は、この発明を実施するための最良の実施の形態の製品検査システムを示すものである。
【００２６】
なお、前記従来例と同一乃至均等な部分については、同一符号を付して説明する。
【００２７】
まず、この製品検査システムの構成から説明すると、この実施の形態の製品検査システムでは、製品の機能として、予め書き換え可能な領域を有する記憶部としてのＥＥＰＲＯＭ１１が設けられているＥＴＣユニット１０を、被検査物として、このＥＴＣユニット１０の製造ラインに沿って設けられた製品の検査工程に、本発明を適用したものを示して説明する。
【００２８】
この製造ラインでは、複数の工程で各々検査が行われることにより、前工程の完了した製品のみが、次工程に進めるように構成された製品検査システムが用いられている。
【００２９】
このＥＴＣユニット１０には、主に、中央演算部としてのＣＰＵ１２と、データの入出力が行われるＩ／Ｏ部１３と、各種データをアンテナ１４ａを介して無線で、送受信可能とするＲＦモジュール部１４とを有して主に構成されていて、前記ＥＥＰＲＯＭ１１に対して、各データを書き込み、変更及び消去可能とするように構成されている。
【００３０】
このＥＥＰＲＯＭ１１は、電流が流れていない状態でも各記憶領域内のデータが消去しないように構成されているものである。
【００３１】
このＥＥＰＲＯＭ１１には、書き換え可能な領域として記憶領域１１ａが設けられている。このうち、前記記憶領域１１ａには、図２に示されるように、各工程で用いられる工程番号が書き込まれる工程番号書き込み領域１１ｂが設けられている。
【００３２】
この工程番号書き込み領域１１ｂは、各工程が行われる際に、この工程番号が前記工程番号書き込み領域１１ｂに書き込まれることにより、この工程が完了したこととするように構成されている。
【００３３】
この前記記憶領域１１ａには、更に、部品の番号を記憶する部番記憶領域１１ｃと、ＩＤ番号を記憶するＩＤ番号記憶領域１１ｄが設けられている。
【００３４】
また、図１に示すように、前記製造ライン近傍に設置される検査設備１５には、主に、データを蓄積するサーバ装置内に設けられた大容量記憶手段１６と、この大容量記憶手段１６に接続されて、データの入出力を、前記ＥＴＣユニット１０のＩ／Ｏ部１３との間で行うＩ／Ｏ部１７とを有している。
【００３５】
また、この検査設備１５には、バーコードリーダー１８が接続されている。このバーコードリーダー１８は、前記ＥＴＣユニット１０に貼設され、又は、単独で用いられる生産指示書１９の部番バーコード情報１９ａを読みとって、前記大容量記憶手段１６にデータとして蓄積させると共に、この大容量記憶手段１６では、前記ＥＴＣユニット１０のＩ／Ｏ部１３からのデータと合わせて保存可能としている。
【００３６】
次に、この実施の形態の作用について、図３，図４に示す制御のフローチャートに沿って説明する。
【００３７】
この実施の形態では、図５に示すように、各検査工程１〜４の前工程として調整工程２０が設けられている。
【００３８】
この調整工程では、図３に示すように、ステップＳ１で検査を開始すると、ステップＳ２では、前記バーコードリーダー１８が用いられて、前記生産指示書１９の部番バーコード情報１９ａが読みとられる。
【００３９】
この生産指示書１９は、前記従来の電子タグ２のように、各製品に貼設等されて各製品と共に、各工程を通過するといった必要が無く、前記ＥＴＣユニット１０から独立していてもよい。
【００４０】
ステップＳ３では、この部番バーコード情報の読みとりにより、予め前記検査設備１５の大容量記憶手段１６に記憶されている部番毎の検査プログラムが、読み込まれて自動切り替えされる。
【００４１】
ステップＳ４で、製品の電源がＯＮ状態となり、図１中、ＥＴＣユニット１０側のＩ／Ｏ部１３と、前記検査設備１５側のＩ／Ｏ部１７との間で通信が開始される。
【００４２】
そして、ステップＳ５以降では、各検査工程１〜４のうち、最初の検査工程１等が、行われる。
【００４３】
まず、ステップＳ５で、調整が実施される。例えば、このＥＴＣユニット１０では、図６に示すような受信感度の調整が行われる。
【００４４】
ＥＴＣユニット１０では、道側との交信距離を確保しつつ、隣接する他のレーンとの混信を避けなければならず、このため、図６に示す様、受信ＯＦＦ点電力値の調整が行われる。
【００４５】
具体的には、基準レベル閾値が設定されて、この基準レベル閾値を前記ＥＥＰＲＯＭ１１に書き込んで保存するように構成されている。
【００４６】
ステップＳ６では、このような調整値の書き込みが行われたか否かが判定される。
【００４７】
そして、調整値の書き込みが行われた場合には、次のステップＳ７に進み、前記ＥＥＰＲＯＭ１１の前記工程番号書き込み領域１１ｂに工程番号が書き込まれると共に、前記部番記憶領域１１ｃに部番が書き込まれ、更に、前記ＩＤ番号記憶領域１１ｄに、ＩＤ番号が、書き込まれて保存される。
【００４８】
この実施の形態１では、最初の検査工程１では、図２に示すように、前記ＥＥＰＲＯＭ１１の前記工程番号書き込み領域１１ｂに工程番号「０１」が書き込まれる。
【００４９】
そして、調整値の書き込みが行われていない場合には、ステップＳ８に進み、ＮＧ処理が行われる。
【００５０】
この実施の形態１のＮＧ処理では、次の工程への進むことが出来ないように、インターロックが行われると共に、図３中に示すように、端末装置２１のモニタ画面２２に、「工程飛びをしています。」等の警告メッセージ２３が表示される。
【００５１】
この段階若しくは、他の検査工程１，２，３，４間では、製造、調整、検査ラインの場所等を移動するため、一旦、製品の電源をＯＦＦとしても、前記ＥＥＰＲＯＭ１１の前記工程番号書き込み領域１１ｂに書き込まれた工程番号は、消去されずに保持され続けている。
【００５２】
すなわち、図４に示すように、次の検査工程２等を開始するため、再び、ステップＳ９で、前記ＥＴＣユニット１０の電源をＯＮ状態として、図１中、ＥＴＣユニット１０側のＩ／Ｏ部１３と、前記検査設備１５側のＩ／Ｏ部１７との間で通信を再開する。
【００５３】
ステップＳ１０では、前記工程番号書き込み領域１１ｂに記憶された工程番号が、「０１」であるか否かが判定される。
【００５４】
工程番号が、「０１」である場合には、次のステップＳ１１に進み、次の検査工程２が開始される。また、工程番号が、他の番号であったり、又は書き込まれていない場合を含み「０１」でない場合には、ステップＳ１２に進み、前記ステップＳ８と同様に、ＮＧ処理が行われる。
【００５５】
この検査工程２のＮＧ処理では、次の工程への進むことが出来ないように、インターロックが行われると共に、図３中に示すように、端末装置２１のモニタ画面２２に、「工程飛びをしています。」等の警告メッセージ２３が表示される。
【００５６】
ステップＳ１１では、検査工程２の組み立て、又は調整等の作業が終了した段階で、検査工程２の検査が開始される。
【００５７】
ステップＳ１３では、検査が行われたか否かが判定される。
【００５８】
すなわち、検査工程２が完了して、検査ＯＫである場合には、次のステップＳ１４に進み、前記ＥＥＰＲＯＭ１１の前記工程番号書き込み領域１１ｂに工程番号「０２」が書き込まれると共に、前記部番記憶領域１１ｃに部番が書き込まれ、更に、前記ＩＤ番号記憶領域１１ｄに、ＩＤ番号が、書き込まれて保存される。
【００５９】
また、このステップＳ１３で、検査が未完了であったり、不具合が存在する場合には、ステップＳ１５に進み、前記ステップＳ８と同様に、ＮＧ処理が行われる。
【００６０】
この検査工程２のＮＧ処理では、次の工程への進むことが出来ないように、インターロックが行われると共に、図３中に示すように、端末装置２１のモニタ画面２２に、「工程飛びをしています。」等の警告メッセージ２３に代えて、「検査が未完了です。」等の警告メッセージが表示される。
【００６１】
ステップＳ１６以降では、図５に示すように、複数の検査工程２〜４が、前記ステップＳ９〜Ｓ１４を繰り返すことにより行われて、全ての組立、調整、検査等の作業が終了した段階では、ステップＳ１７に進み制御が終了される。
【００６２】
このように、前記予め前記ＥＴＣユニット１０のＥＥＰＲＯＭ１１に設けられた書き換え可能な記憶領域１１ａのうち、工程番号書き込み領域１１ｂに、前記各工程の工程番号「０１」，「０２」…等が書き込まれると、これらの書き込まれた工程番号「０１」，「０２」…に対応する工程が完了したこととなる。しかも、この実施の形態１では、前記工程番号書き込み領域１１ｂの工程番号「０１」の上に、工程番号「０２」が上書きされるので、記憶領域の増大が抑制されている。
【００６３】
このため、前記各工程の工程番号が書き込まれた製品が、前工程の完了した製品として、次工程に進められる。
【００６４】
もし、前記各工程の工程番号が書き込まれていない製品が存在すると、この製品は、この工程を終了していないとして、次の工程に進むことが出来ない。
【００６５】
このため、全ての検査を順次、経たもののみが、全ての工程を経て完成された製品となるので、工程未完了の製品を発生させる虞がない。
【００６６】
また、前記ＥＴＣユニット１０のＥＥＰＲＯＭ１１に、予め設けられた書き換え可能な記憶領域１１ａを用いて、前記工程番号書き込み領域１１ｂとしているので、ＥＴＣユニット１０と、内臓されたＥＥＰＲＯＭ１１とが一体である限り、前記検査データと被検査物との対応関係が失われることが無い。
【００６７】
しかも、従来用いられていたような電子タグ等の部品を別途、必要としない。
【００６８】
更に、このような電子タグに用いる入力端末装置等を別途設ける必要もなく、ＥＴＣユニット１０のＥＥＰＲＯＭ１１に、データを書き込む既存の設備を用いて、システムを構成出来、追加の設備を必要としない。
【００６９】
例えば、この実施の形態１では、ＥＴＣユニット１０側のＩ／Ｏ部１３と、前記検査設備１５側のＩ／Ｏ部１７との間で通信を行っているが、前記ＥＴＣユニット１０側に設けられたＲＦモジュール部１４によって、アンテナ１４ａを介して無線で、送受信してもよい。この場合、データの送受信に用いる配線が、不要若しくは簡略化される。
【００７０】
また、検査完了後は、前記ＥＥＰＲＯＭ１１に設けられた書き換え可能な記憶領域１１ａの工程番号書き込み領域１１ｂを、別の用途に用いることも出来る。このため、ＥＥＰＲＯＭ１１の記憶領域１１を有効に活用できる。
【００７１】
更に、別の用途に用いていない記憶領域を、工程番号書き込み領域１１ｂとすることもできるので、この場合も、前記ＥＥＰＲＯＭ１１の記憶領域１１ａを有効に活用できる。
【００７２】
従って、製造コストの上昇を抑制出来、検査効率を良好なものとすることができる製品検査システムが提供される。
【実施例１】
【００７３】
図７は、この発明の実施の形態１の実施例１の製品検査システムを示すものである。
【００７４】
なお、前記実施の形態１と同一乃至均等な部分については、同一符号を付して説明する。
【００７５】
この実施例１の製品検査システムでは、前記検査設備１５よりも小型の検査装置１１５が、パーソナルコンピュータ１１５ａ等によって主に構成されている。
【００７６】
また、被検査物としての製品１１０には、実施の形態１のＥＴＣユニット１０のようなＲＦモジュール部１４が存在せず、主に、中央演算部としてのＣＰＵ１２と、データの入出力が行われるＩ／Ｏ部１３とを有して、このＩ／Ｏ部１３を介して、送受信される各データが、前記ＥＥＰＲＯＭ１１に対して、各々書き込み、変更及び消去可能となるように構成されている。
【００７７】
このように構成された実施例１の製品検査システムでは、前記検査装置１１５の機能として、前記ＥＥＰＲＯＭ１１に対して、各々部番を書き込み可能で、変更及び消去されたデータを読みとれれば、検査が可能であるので、例えば、前記従来の電子タグ２専用のデータアクセス装置４やバーコードリーダー１８等が不要である。
【００７８】
このため、前記実施の形態１の検査設備１５よりも小型の検査装置１１５を、パーソナルコンピュータ１１５ａ等によって構成することができる。
【００７９】
また、パーソナルコンピュータ１１５ａ等によって構成されているので、ポータブルサイズとすることができる。従って、製品１１０の存在する場所まで、この検査装置１１５を容易に移動させることが出来、使用利便性が良好である。
【００８０】
他の構成、及び作用効果については、前記実施の形態１と同様であるので説明を省略する。
【００８１】
以上、図面を参照して、本発明の実施の形態１及び実施例１の製品検査システムを詳述してきたが、具体的な構成は、これら実施の形態１及び実施例１に限らず、本発明の要旨を逸脱しない程度の設計的変更は、本発明に含まれる。
【００８２】
例えば、前記実施の形態１では、製品検査システムによる検査工程１〜４を、４つ設けているが、特にこれに限らず、例えば、１〜３若しくは５以上の検査工程を有していてもよい。
【図面の簡単な説明】
【００８３】
【図１】本発明の最良の実施の形態の製品検査システムを示し、製品と検査設備との構成を説明するブロック図である。
【図２】実施の形態の製品検査システムに用いられる記憶領域に書き込まれる工程番号等のデータの一例を示す模式図である。
【図３】実施の形態の製品検査システムの制御を説明し、調整工程のフローチャート図である。
【図４】実施の形態の製品検査システムの制御を説明し、検査工程のフローチャート図である。
【図５】実施の形態の製品検査システムの制御を説明し、各調整工程及び検査工程１〜４の関係を説明するブロック図である。
【図６】実施の形態の製品検査システムで検査されるＥＴＣユニットの検査項目である感度調整に用いられる閾値の一例を示すグラフ図である。
【図７】実施の形態１の実施例１の製品検査システムを示し、製品と検査設備との構成を説明するブロック図である。
【図８】従来例の設備検収システムを示し、製品と検査設備に相当する被検査物としての設備と、入力端末との構成を説明するブロック図である。
【符号の説明】
【００８４】
１０          ＥＴＣユニット（製品）
１１          ＥＥＰＲＯＭ
１１ａ        記憶領域（書き換え可能な領域）
１１ｂ        工程番号書き込み領域
１１ｃ        部番記憶領域
１１ｄ        ＩＤ番号記憶領域
１５          検査設備
１１０        製品
１１５        検査装置
【図１】
2005141570.tif 000003
【図２】
2005141570.tif 000004
【図３】
2005141570.tif 000005
【図４】
2005141570.tif 000006
【図５】
2005141570.tif 000007
【図６】
2005141570.tif 000008
【図７】
2005141570.tif 000009
【図８】
2005141570.tif 000010